(57)【特許請求の範囲】
【請求項１】
水平方向にケーブルを引っ張る第１のキャップ引き戻し作業時につまみ有りプラグキャップの端部を引っ掛けて係止させる第１キャップ引掛部を備え、前記第１キャップ引掛部の側方を開放するとともに内辺の長さが円筒のプラグキャップの外径よりも大きいコの字状のコの字切欠部が形成されたつまみ有りプラグキャップ専用の第１のキャップ取付治具と、
水平方向にケーブルを引っ張る第２のキャップ引き戻し作業時につまみ無しプラグキャップの端部を引っ掛けて係止させる第２キャップ引掛部を備え、前記第２キャップ引掛部の上方を開放するとともに切り欠き幅がケーブルの外径と略同じであるＵ字状のＵ字切欠部が形成されたつまみ無しプラグキャップ専用の第２のキャップ取付治具と
をそれぞれ独立に設け、
前記第２のキャップ取付治具のみが台の上に設置されたことを特徴とするキャップ取付治具。
【請求項２】
前記第１のキャップ取付治具及び第２のキャップ取付治具には、方形体に設けられた前記第１及び第２キャップ引掛部と共に斜面部が形成され、前記方形体及び前記斜面部にかけてそれぞれ、プラグキャップと係合する溝が前記コの字切欠部及び前記Ｕ字切欠部に対応するように設けられ、前記第１のキャップ取付治具における溝は前記つまみ有りプラグキャップのつまみと係合し、前記第２のキャップ取付治具における溝は前記つまみ無しプラグキャップと係合することを特徴とする請求項１記載のキャップ取付治具。
【発明の詳細な説明】
【０００１】
【発明の属する技術分野】
この発明は、高電圧ケーブルにキャップ（プラグキャップ）を取り付けるために用いるキャップ取付治具に関するものである。
【０００２】
【従来の技術】
高電圧ケーブル（ハイテンションケーブル）は、高電圧をエンジンのスパークプラグに供給するケーブルであり、高電圧ケーブルには、プラグキャップが被せられる。プラグキャップは、自動車の車種に応じて、つまみ有りと無しの２種類の形状がある。
【０００３】
図１３は、つまみ有りのプラグキャップの構成を示す平面図であり、また、図１４は、つまみ無しのプラグキャップの構成を示す平面図である。図１３及び図１４に示すように、つまみ有りプラグキャップ１０及びつまみ無しプラグキャップ２０は、それぞれ、円筒がくの字状に折れ曲がった形状をしている。また、図１３に示すように、つまみ有りのプラグキャップ１０には、キャップ円筒の側面に、識別用のひれ状のつまみ１１が形成されている。
【０００４】
高電圧ケーブルへのプラグキャップの取り付けは、次のように行われる。図１５は、プラグキャップの引き戻し作業の工程を説明するための構成図であり、また、図１６は、図１５のＡ方向矢視図である。図１５に示すように、高電圧ケーブル３１の先端には、スパークプラグの端子３０がかしめによって結合される。
【０００５】
まず、つまみ無しプラグキャップ２０を高電圧ケーブル３１に先に挿入しておく。次に、高電圧ケーブル３１の先端に端子３０をかしめて接続する。そして、高電圧ケーブル３１をキャップ取付治具４０のキャップ引掛部４１のＵ字切欠部４２内に通す。ここで、キャップ引掛部４１のＵ字切欠部４２の切り欠き幅は、高電圧ケーブル３１の外径と略同じである。従って、高電圧ケーブル３１はＵ字切欠部４２を通るが、つまみ無しプラグキャップ２０は通らないようになっている。
【０００６】
次に、高電圧ケーブル３１を図１５に示す方向に引っ張ると、つまみ無しプラグキャップ２０がキャップ引掛部４１に引っ掛かり、端子３０側（スパークプラグ側）に引き戻される。このように、つまみ無しプラグキャップ２０が高電圧ケーブル３０の端子位置まで引き戻されて、つまみ無しプラグキャップ２０の取付（装着）が完了する。
【０００７】
尚、つまみ無しプラグキャップ２０について説明したが、つまみ有りプラグキャップ１０についても、同様の作業により高電圧ケーブル３１と端子３０の結合部に取り付けられる。
【０００８】
【発明が解決しようとする課題】
しかし、上記のような従来のキャップ取付治具４０は、以下のような問題があった。例えば、Ａ車用の高電圧ケーブルには、つまみ有りプラグキャップ１０が取り付けられ、また、Ｂ車用の高電圧ケーブルには、つまみ無しプラグキャップ２０が取り付けられるとすると、２車種用（Ａ車用及びＢ車用）の高電圧ケーブルを製造する場合に、（１）Ａ車用の高電圧ケーブルを所定数量まとめて製造する場合や、（２）Ａ車用及びＢ車用の高電圧ケーブルをグループに分かれて並行して製造する場合などがある。
【０００９】
この場合、上記したように、Ａ車用及びＢ車用の高電圧ケーブルのいずれの場合も、作業者が、同一のキャップ取付治具４０を用いて、つまみ有りプラグキャップ１０及びつまみ無しプラグキャップ２０を端子側に引き戻す作業を行って製造していたので、作業者がプラグキャップを取り違えても、それに気付かずに作業が進行され、大量に生産した部品間違いの高電圧ケーブルを客先に納入してしまう可能性があった。
【００１０】
この発明は、上記のような課題を解決するためになされたものであり、プラグキャップ取付作業時における作業者によるプラグキャップの取り違えの防止を図ることができるキャップ取付治具を得ることを目的とする。
【００１１】
【課題を解決するための手段】
以上の目的を達成するため、本発明に係るキャップ取付治具では、水平方向にケーブルを引っ張る第１のキャップ引き戻し作業時につまみ有りプラグキャップの端部を引っ掛けて係止させる第１キャップ引掛部を備え、前記第１キャップ引掛部の側方を開放するとともに内辺の長さが円筒のプラグキャップの外径よりも大きいコの字状のコの字切欠部が形成されたつまみ有りプラグキャップ専用の第１のキャップ取付治具と、水平方向にケーブルを引っ張る第２のキャップ引き戻し作業時につまみ無しプラグキャップの端部を引っ掛けて係止させる第２キャップ引掛部を備え、前記第２キャップ引掛部の上方を開放するとともに切り欠き幅がケーブルの外径と略同じであるＵ字状のＵ字切欠部が形成されたつまみ無しプラグキャップ専用の第２のキャップ取付治具とをそれぞれ独立に設け、前記第２のキャップ取付治具のみが台の上に設置されたものである。これにより、キャップ取付治具によって作業者は取り付けるプラグキャップの種類を識別することが可能となり、その結果、プラグキャップ取付作業時における作業者によるプラグキャップの取り違えの防止を図ることが可能となる。
【００１２】
また、第２のキャップ取付治具のみを台の上に設置することにより、作業者が高電圧ケーブルを斜め下方に引っ張ることができなくなり、一層確実に、プラグキャップの取り違えの防止を図ることが可能となる。
【００１３】
さらに、各キャップ取付治具にそれぞれプラグキャップと係合する溝を設け、第１のキャップ取付治具における溝はつまみ有りプラグキャップのつまみと係合し、第２のキャップ取付治具における溝はつまみ無しプラグキャップと係合するように構成したことにより、プラグキャップの引き戻し作業時に、それぞれのプラグキャップが各キャップ取付治具においてずれるのが防止され、引き戻し作業を一層容易にすることが可能となる。
【００１４】
【発明の実施の形態】
以下、この発明の実施の一形態を説明する。
本実施の形態では、作業者によるプラグキャップの取り違えの防止を図るために、つまみ有りプラグキャップ１０用（Ａ車用）のキャップ取付治具と、つまみ無しプラグキャップ２０用（Ｂ車用）のキャップ取付治具とを、各図からも明らかなようにそれぞれ独立に設けたものである。つまみ有りプラグキャップ１０用のキャップ取付治具を第１のキャップ取付治具と呼び、また、つまみ無しプラグキャップ２０用のキャップ取付治具を第２のキャップ取付治具と呼ぶこととする。
【００１５】
（１）まず、第１のキャップ取付治具について説明する。
図１は、本発明における第１のキャップ取付治具の構成を示す斜視図である。図１において、第１のキャップ取付治具５０は、つまみ有りプラグキャップ１０を高電圧ケーブル３１と端子３０の接続部に取り付ける（装着する）際の引き戻し作業に用いるものである。
【００１６】
第１のキャップ取付治具５０は、方形体のコーナー（角）を斜めに切り欠いた斜面部５１が設けられている。この斜面部５１には、つまみ有りプラグキャップ１０のつまみ１１がずれるのを防止するための溝５２が形成されている。溝５２は、キャップ引き戻し作業時に、つまみ有りプラグキャップ１０のひれ状のつまみ１１が係合される。この溝５２の傾斜角度は、つまみ有りプラグキャップ１０と高電圧ケーブル３１とが水平のときのつまみ１１のケーブル側の頂点の外角の角度と略同じになるように形成されている。
【００１７】
第１キャップ引掛部５３は、キャップ引き戻し作業時に、つまみ有りプラグキャップ１０の端部を引っ掛けて係止させる個所であり、この第１キャップ引掛部５３には、側方を開放するようにコの字状に切り欠いたコの字切欠部５４が形成されている。コの字切欠部５４は、その内辺の長さが、プラグキャップ１０，２０の円筒の外径よりも大きくなるように形成されている。
【００１８】
次に、作業者が、第１のキャップ取付治具５０を用いて、つまみ有りプラグキャップ１０を高電圧ケーブル３１と端子３０の結合部に取り付ける作業について説明する。図２は、第１のキャップ取付治具によるつまみ有りプラグキャップの引き戻し作業を説明するための斜視図であり、図３は、第１のキャップ取付治具によるつまみ有りプラグキャップの引き戻し作業を説明するための側面図である。
【００１９】
尚、つまみ有りプラグキャップ１０を高電圧ケーブル３１に先入れしておき、高電圧ケーブル３１と端子３０をかしめて接続する工程については、上記の従来技術で説明したものと同様である。
【００２０】
図２及び図３に示すように、作業者は、つまみ有りプラグキャップ１０のつまみ１１を第１のキャップ取付治具５０の溝５２に係合させつつ、高電圧ケーブル３１を第１のキャップ取付治具５０のキャップ引掛部５３のコの字切欠部５４に通し、その後、高電圧ケーブル３１を水平に引っ張る。
【００２１】
作業者が高電圧ケーブル３１を引っ張ると、つまみ有りプラグキャップ１０のつまみ１１が溝５２と係合しているので、つまみ有りプラグキャップ１０は、溝５２からの押し上げ圧によって、上方にスライドして持ち上げられる。つまみ有りプラグキャップ１０が上方に持ち上げられると、つまみ有りプラグキャップ１０の端部がキャップ引掛部５３に引っ掛かり、つまみ有りプラグキャップ１０が端子側（スパークプラグ側）に引き戻される。このように、つまみ有りプラグキャップ１０が高電圧ケーブル３１の端子３０の結合位置まで引き戻されて、つまみ有りプラグキャップ１０の取付（装着）が完了する。
【００２２】
次に、作業者が、第１のキャップ取付治具５０を用いて、つまみ無しプラグキャップ２０を高電圧ケーブル３１と端子３０の結合部に取り付けようとする場合について説明する。図４は、第１のキャップ取付治具によるつまみ無しプラグキャップの引き戻し作業を説明するための斜視図であり、図５は、第１のキャップ取付治具によるつまみ無しプラグキャップの引き戻し作業を説明するための側面図である。
【００２３】
図４及び図５に示すように、作業者は、つまみ無しプラグキャップ２０の端部をキャップ引掛部５３に引っ掛けようとしても、それができない。なぜなら、上記したように、コの字切欠部５４は、その内辺の長さが、つまみ無しプラグキャップ２０の円筒の外径よりも大きくなるように形成されており、作業者が高電圧ケーブル３１を水平に引っ張るとコの字切欠部５４の内側を貫けてしまうからである。また、つまみ無しプラグキャップ２０は、つまみ１１が設けられていないので、つまみ有りプラグキャップ１０のように、溝５２と係合して上方に持ち上げられず、コの字切欠部５４の内側を貫けてしまうからである。
【００２４】
このように、作業者は、第１のキャップ取付治具５０を用いて、つまみ無しプラグキャップ２０の引き戻し作業を行うことができない。従って、第１のキャップ取付治具５０を用いる場合は、常に、つまみ有りプラグキャップ１０の引き戻し作業が行われることとなる。
【００２５】
（２）次に、第２のキャップ取付治具について説明する。
図６は、第２のキャップ取付治具の構成を示す斜視図である。図６において、第２のキャップ取付治具６０は、つまみ無しプラグキャップ２０を高電圧ケーブル３１と端子３０の結合部に取り付ける（装着する）際の引き戻し作業に用いるものである。
【００２６】
第２のキャップ取付治具６０には、方形体のコーナー（角）を斜めに切り欠いた斜面部６１が設けられている。この斜面部６１には、つまみ無しプラグキャップ２０がずれるのを防ぐための溝６２が形成されている。溝６２は、キャップ引き戻し作業時に、つまみ無しプラグキャップ２０が係合される。
【００２７】
第２キャップ引掛部６３は、キャップ引き戻し作業時に、つまみ無しプラグキャップ２０の端部を引っ掛けて係止させる個所であり、この第２キャップ引掛部６３には、上方を開放するようにＵ字状に切り欠いたＵ字切欠部６４が形成されている。Ｕ字切欠部６４は、その切り欠き幅が、高電圧ケーブル３１の外径と略同じになるように形成されている。
【００２８】
次に、作業者が、第２のキャップ取付治具６０を用いて、つまみ無しプラグキャップ２０を高電圧ケーブル３１と端子３０の結合部に取り付ける作業について説明する。図７は、第２のキャップ取付治具によるつまみ無しプラグキャップの引き戻し作業を説明するための斜視図であり、図８は、第２のキャップ取付治具によるつまみ無しプラグキャップの引き戻し作業を説明するための側面図である。
【００２９】
尚、つまみ有りプラグキャップ１０を高電圧ケーブル３１に先入れしておき、高電圧ケーブル３１の先端に端子３１をかしめて接続する工程については、上記の従来技術で説明したものと同様である。
【００３０】
図７及び図８に示すように、作業者は、高電圧ケーブル３１をキャップ引掛部６３のＵ字切欠部６４内に上から通す。上記したように、キャップ引掛部６３のＵ字切欠部６４の切り欠き幅は、高電圧ケーブル３１の外径と略同じであるので、高電圧ケーブル３１はＵ字切欠部６４を通るが、つまみ無しプラグキャップ２０は通らないようになっている。
【００３１】
次に、作業者は、高電圧ケーブル３１を水平に引っ張ると、つまみ無しプラグキャップ２０の端部が第２キャップ引掛部６３に引っ掛かり、つまみ無しプラグキャップ２０が第２キャップ引掛部６３にて端子側（スパークプラグ側）に引き戻されることになる。このように、つまみ無しプラグキャップ２０が高電圧ケーブル３１の端子３０の結合位置まで引き戻されて、つまみ無しプラグキャップ２０の取付（装着）が完了する。
【００３２】
次に、作業者が、第２のキャップ取付治具６０を用いて、つまみ有りプラグキャップ１０を高電圧ケーブル３１と端子３０の結合部に取り付けようとする場合について説明する。図９は、第２のキャップ取付治具によるつまみ有りプラグキャップの引き戻し作業を説明するための斜視図であり、図１０は、第２のキャップ取付治具によるつまみ有りプラグキャップの引き戻し作業を説明するための側面図である。
【００３３】
作業者は、上述したような、第１のキャップ取付治具５０を用いて、つまみ有りプラグキャップ１０の引き戻し作業を行うように、第２のキャップ取付治具６０を用いて、つまみ有りプラグキャップ１０の引き戻し作業を行うことはできない。なぜなら、図９及び図１０に示すように、第２のキャップ取付治具６０のＵ字切欠部６４は、第１のキャップ取付治具５０のコの字切欠部５４のように、高電圧ケーブル３１を上側から押さえつけるような構造ではないので（即ち、第２のキャップ取付治具６０のＵ字切欠部６４は、上方が開放しているので）、作業者が高電圧ケーブル３１を水平に引っ張るとつまみ有りプラグキャップ１０のつまみ１１が第２のキャップ取付治具６０の斜面部６１につっかえることによって、つまみ有りプラグキャップ１０が上方に持ち上げられすぎてしまうからである。
【００３４】
このように、作業者は、第２のキャップ取付治具６０を用いて、つまみ有りプラグキャップ１０の引き戻し作業を行うことができない。従って、第２のキャップ取付治具６０を用いる場合は、常に、つまみ無しプラグキャップ２０の引き戻し作業が行われることとなる。
【００３５】
尚、上記したように、作業者が、高電圧ケーブル３１を水平に引っ張る場合は、第２のキャップ取付治具６０を用いて、つまみ有りプラグキャップ１０の引き戻し作業を行うことはできないが、図１１に示すように、作業者が、高電圧ケーブル３１を斜め下方に引っ張れば、第２のキャップ取付治具６０を用いて、つまみ有りプラグキャップ１０の引き戻し作業を行うことが可能になってしまうと考えられる。
【００３６】
しかし、図１２に示すように、第２のキャップ取付治具６０が台７０の上に設置されていると、第２のキャップ取付治具６０の下方に空間がなくなり、作業者は、高電圧ケーブル３１を斜め下方に引っ張ることができなくなる。従って、第２のキャップ取付治具６０が台７０の上に設置されていれば、確実に、作業者が第２のキャップ取付治具６０を用いて、つまみ有りプラグキャップ１０の引き戻し作業を混同して行うのを防止することが可能となる。
【００３７】
以上のように、この実施の形態によれば、つまみ有りプラグキャップ１０の引き戻し作業専用の第１のキャップ取付治具５０と、つまみ無しプラグキャップ２０の引き戻し作業専用の第２のキャップ取付治具６０とを、それぞれ独立に設け各引き戻し作業を混同させないようにしたので、作業者は、第１のキャップ取付治具５０を用いる場合は、常に、つまみ有りプラグキャップ１０の引き戻し作業を行い、また、第２のキャップ取付治具６０を用いる場合は、常に、つまみ無しプラグキャップ２０の引き戻し作業を行うこととなり、その結果、作業者によるプラグキャップの取り違えの防止を図ることが可能となる。
【００３８】
また、第１のキャップ取付治具５０と第２のキャップ取付治具６０の形状も大きく異なるため、作業者にとって、どのプラグキャップ専用のキャップ取付治具が解り易く、一層、プラグキャップの取り違えが少なくなると考えられる。
【００３９】
さらに、第１のキャップ取付治具５０及び第２のキャップ取付治具６０には、それぞれ、溝５２，６２が形成されているので、つまみ有りプラグキャップ１０及びつまみ無しプラグキャップ２０がずれるのが防止され、作業者にとって引き戻し作業を容易となる。
【００４０】
【発明の効果】
以上のように、本発明によれば、つまみ有りプラグキャップの引き戻し作業専用の第１のキャップ取付治具と、つまみ無しプラグキャップの引き戻し作業専用の第２のキャップ取付治具とをそれぞれ独立に設け各引き戻し作業を混同させないようにしたので、キャップ取付治具によって作業者は取り付けるプラグキャップの種類を識別することが可能となり、その結果、作業者によるプラグキャップの取り違えの防止を図ることが可能となる。
【図面の簡単な説明】
【図１】  第１のキャップ取付治具の構成を示す斜視図である。
【図２】  第１のキャップ取付治具によるつまみ有りプラグキャップの引き戻し作業を説明するための斜視図である。
【図３】  第１のキャップ取付治具によるつまみ有りプラグキャップの引き戻し作業を説明するための側面図である。
【図４】  第１のキャップ取付治具によるつまみ無しプラグキャップの引き戻し作業を説明するための斜視図である。
【図５】  第１のキャップ取付治具によるつまみ無しプラグキャップの引き戻し作業を説明するための側面図である。
【図６】  第２のキャップ取付治具の構成を示す斜視図である。
【図７】  第２のキャップ取付治具によるつまみ無しプラグキャップの引き戻し作業を説明するための斜視図である。
【図８】  第２のキャップ取付治具によるつまみ無しプラグキャップの引き戻し作業を説明するための側面図である。
【図９】  第２のキャップ取付治具によるつまみ有りプラグキャップの引き戻し作業を説明するための斜視図である。
【図１０】  第２のキャップ取付治具によるつまみ有りプラグキャップの引き戻し作業を説明するための側面図である。
【図１１】  ケーブルを斜め下方に引っ張る状態を説明するための側面図である。
【図１２】  第２のキャップ取付治具が台上に設置されている状態を説明するための側面図である。
【図１３】  つまみ有りのプラグキャップの構成を示す平面図である。
【図１４】  つまみ無しのプラグキャップの構成を示す平面図である。
【図１５】  プラグキャップの引き戻し作業の工程を説明するための構成図である。
【図１６】  図１５のＡ方向矢視図である。
【符号の説明】
１０  つまみ有りプラグキャップ（プラグキャップ）
１１  つまみ
２０  つまみ無しプラグキャップ（プラグキャップ）
３０ 端子
３１  高電圧ケーブル（ケーブル）
５０  第１のキャップ取付治具
５１  斜面部
５２  溝
５３  第１キャップ引掛部
５４  コの字切欠部
６０  第２のキャップ取付治具
６１  斜面部
６２  溝
６３  第２キャップ引掛部
６４  Ｕ字切欠部
７０  台
【図１】
0004291948.tif 000002
【図２】
0004291948.tif 000003
【図３】
0004291948.tif 000004
【図４】
0004291948.tif 000005
【図５】
0004291948.tif 000006
【図６】
0004291948.tif 000007
【図７】
0004291948.tif 000008
【図８】
0004291948.tif 000009
【図９】
0004291948.tif 000010
【図１０】
0004291948.tif 000011
【図１１】
0004291948.tif 000012
【図１２】
0004291948.tif 000013
【図１３】
0004291948.tif 000014
【図１４】
0004291948.tif 000015
【図１５】
0004291948.tif 000016
【図１６】
0004291948.tif 000017